【手続補正書】
【提出日】平成18年7月7日(2006.7.7)
【手続補正１】
【補正対象書類名】特許請求の範囲
【補正対象項目名】全文
【補正方法】変更
【補正の内容】
【特許請求の範囲】
【請求項１】
非導電性コア又は半導電性コアを含む粒子の混合物であって、前記粒子のコアは導電性ハイブリッドコーティングにより少なくとも部分的に被覆されており、前記粒子は導電性ネットワークをつくるハイブリッド導電性鎖と少なくとも部分的に連結している、前記混合物。
【請求項２】
該粒子が、非導電性又は半導電性コアと、少なくとも部分的にハイブリッド導電性材料でつくられているコーティングとを含む、請求項１記載の混合物であって、前記粒子がハイブリッド導電性鎖により少なくとも部分的に内部連結している、前記混合物。
【請求項３】
該コーティングが、粒子の形態の少なくとも２種の異なる導電性材料を含み、第一のコアのコーティングの粒子が、前記第一のコアの付近の粒子混合物中に位置する第二のコアのコーティングの粒子と内部連結している、請求項１又は２に記載の混合物。
【請求項４】
該コーティングが：
前記コアの表面の５０〜９０％を覆う第一の導電性材料；及び
その粒子が１０〜５０％であり、粒子の間で連結して導電性ネットワークを形成する、第二の導電性材料
を含む、請求項２又は３に記載の混合物。
【請求項５】
該コーティングが：
前記コアの表面の少なくとも８０％を覆う第一の導電性材料；及び
その粒子が約２０％であり、粒子の間で連結して導電性ネットワークを形成する、第二の導電性材料
を含む、請求項２又は３に記載の混合物。
【請求項６】
該コアが少なくともリン酸塩、窒化物、酸化物又はこれらの２種以上の混合物を含む、請求項１〜５のいずれか１項に記載の混合物。
【請求項７】
前記粒子のコアが、少なくとも１種の金属酸化物で主として形成されている、請求項６記載の混合物。
【請求項８】
前記粒子のコアが、少なくとも７０重量％の量の少なくとも１種の金属酸化物で主として形成されている、請求項６記載の混合物。
【請求項９】
該金属酸化物が、６５重量％より多い酸化リチウムから構成される、請求項７又は８に記載の混合物。
【請求項１０】
該酸化リチウムを炭素で被覆する、請求項９記載の混合物。
【請求項１１】
該コアが、スピネル構造と考えられる酸化リチウムから形成されている、請求項７〜１０のいずれか１項に記載の混合物。
【請求項１２】
該酸化リチウムが、次式：
−  Ｌｉ４Ｔｉ５Ｏ１２；
−  Ｌｉ（４−α）ＺαＴｉ５Ｏ１２
（式中、αはゼロより大きく０．３３以下であり、Ｚは少なくとも１種の金属の供給源を示す）；及び、
−  Ｌｉ４ＺβＴｉ（５−β）Ｏ１２
（式中、βはゼロより大きく、及び／又は、０．５以下であり、Ｚは少なくとも１種の金属の供給源を示す）
の酸化物からなる群から選択される、請求項７〜１１のいずれか１項に記載の混合物。
【請求項１３】
該粒子のコアが、Ｌｉ４Ｔｉ５Ｏ１２、Ｌｉ（４−α）ＺαＴｉ５Ｏ１２、Ｌｉ４ＺβＴｉ（５−β）Ｏ１２、又はこれらの混合物少なくとも６５％から形成される（α及びβは請求項１２に定義する値をもつ）、請求項１２記載の混合物。
【請求項１４】
該粒子のコアが、Ｌｉ４Ｔｉ５Ｏ１２、Ｌｉ（４−α）ＺαＴｉ５Ｏ１２、Ｌｉ４ＺβＴｉ（５−β）Ｏ１２、又はこれらの１種以上の混合物から形成される（α及びβは請求項１２に定義する値をもつ）、請求項１１記載の混合物。
【請求項１５】
前記粒子のコアが半導電性であり、Ｓｉ、ＧｅをドープしたＳｉ、Ｇｅ及びＩｎＳｂからなる群から選択される材料から形成される、請求項１記載の混合物。
【請求項１６】
前記粒子のコアが非導電性であり、ガラス、雲母及びＳｉＯ２からなる群から選択される材料から形成される、請求項１記載の混合物。
【請求項１７】
該粒子が７マイクロメートルのＤ５０を有する、請求項１記載の混合物。
【請求項１８】
Ｚが、Ｍｇ、Ｎｂ、Ａｌ、Ｚｒ、Ｎｉ及びＣｏからなる群から選択される金属の粒子を示す、請求項１１〜１３のいずれか１項に記載の混合物。
【請求項１９】
該金属酸化物が、次式ＬｉＭｎ０．５Ｎｉ０．５Ｏ２、ＬｉＭｎ０．３３Ｎｉ０．３３Ｃｏ０．３３Ｏ２、Ｌｉ４Ｔｉ５Ｏ１２、Ｌｉ２ＴｉＣＯ３、ＬｉＣｏＯ２、ＬｉＮｉＯ２、又はＬｉＭｎ２Ｏ４をもつ、請求項１２〜１８のいずれか１項に記載の混合物。
【請求項２０】
前記混合物中に１〜６重量％の炭素を含有する、請求項１〜１９のいずれか１項に記載の混合物。
【請求項２１】
前記混合物中に約２重量％の炭素を含有する、請求項２０記載の混合物。
【請求項２２】
該コーティングが、炭素のハイブリッド混合物、及び／又は、ハイブリッド炭素−金属混合物から形成される、請求項１〜２１のいずれか１項に記載の混合物。
【請求項２３】
該金属が、銀、アルミニウム及びこれらの混合物からなる群から選択される、請求項２２記載の混合物。
【請求項２４】
該ハイブリッドカーボンコーティングが、少なくとも２種の異なる導電性形態の炭素を含む（炭素１及び炭素２と称する）、請求項２２記載の混合物。
【請求項２５】
炭素１が結晶化度の低い炭素である、請求項２４記載の混合物。
【請求項２６】
炭素の１の粒子の結晶化度が、Ｘ線回折法及び／又はラマン分光法により測定して、ｄ００２が３．３９オングストロームより大きいことを特徴とする、請求項２５記載の混合物。
【請求項２７】
炭素２が結晶化度の高い黒鉛タイプ及び／又は炭素タイプである、請求項２４〜２６のいずれか１項に記載の混合物。
【請求項２８】
炭素２の粒子の結晶化度が、Ｘ線回折法により測定して、ｄ００２が３．３６オングストロームより小さいことを特徴とする、請求項２７記載の混合物。
【請求項２９】
炭素２が、天然黒鉛、人工黒鉛、又は葉片状黒鉛のタイプである、請求項２８記載の混合物。
【請求項３０】
炭素１が、ＢＥＴ法により測定して、５０ｍ２／ｇ以上の比表面積を有する、請求項２４〜２９のいずれか１項に記載の混合物。
【請求項３１】
使用される炭素１の粒子が１０〜９９９ナノメートルの平均サイズを有する、請求項３０記載の混合物。
【請求項３２】
炭素２の粒子がＢＥＴ法により測定して、５０ｍ２／ｇ以下の比表面積を有する、請求項２４〜３１のいずれか１項に記載の混合物。
【請求項３３】
使用される炭素２の粒子が２〜１０マイクロメートルの平均サイズを有する、請求項３０記載の混合物。
【請求項３４】
炭素２が、人工黒鉛、天然黒鉛、葉片状黒鉛、及びこれらの黒鉛の２種以上の混合物からなる群から選択される少なくとも１種の黒鉛から形成されている、請求項２４〜３３のいずれか１項に記載の混合物。
【請求項３５】
炭素１の質量パーセントが、炭素１及び炭素２から構成されるコーティングの全質量の１〜１０％である、請求項２４〜３４のいずれか１項に記載の混合物。
【請求項３６】
炭素１の量が、炭素２の量とおよそ等しい、請求項２４〜３５のいずれか１項に記載の混合物。
【請求項３７】
前記粒子のコアの平均径が５０ナノメートル〜５０マイクロメートルである、請求項１〜３６のいずれか１項に記載の混合物。
【請求項３８】
前記粒子のコアの平均径が５０ナノメートル〜３０マイクロメートルである、請求項３７記載の混合物。
【請求項３９】
前記コアの平均径が２マイクロメートルのオーダーであることを特徴とする、請求項３７又は３８に記載の混合物。
【請求項４０】
前記粒子の平均径が、走査型電子顕微鏡により測定して、４〜３０マイクロメートルである、請求項１〜３９のいずれか１項に記載の混合物。
【請求項４１】
前記粒子の平均径が、走査型電子顕微鏡により測定して、４〜１０マイクロメートルである、請求項４０記載の混合物。
【請求項４２】
次の特性：非常に高い局部導電率、非常に高いネットワークの導電率、低い抵抗、高電流にて非常に高い容量、及び高いエネルギー密度、のうち少なくとも１つを示す、請求項１〜４１のいずれか１項に記載の混合物。
【請求項４３】
四電極法により測定して、１０−６（Ω・ｍ）より大きい局部導電率を示す、請求項３９記載の混合物。
【請求項４４】
四電極法により測定して、１０−５（Ω・ｍ）以上である局部導電率を示す、請求項３９記載の混合物。
【請求項４５】
四極法により測定して、２．６×１０−３〜６．２×１０−３（Ω・ｍ）のネットワークの導電率を示す、請求項４２〜４４のいずれか１項に記載の混合物。
【請求項４６】
四極法により測定して、６．０×１０−３（Ω・ｍ）より小さいネットワークの導電率を示す、請求項４２〜４４のいずれか１項に記載の混合物。
【請求項４７】
請求項１〜４６のいずれか１項に記載の粒子の混合物を製造するための方法であって、次の工程：
ａ）少なくとも１種の非導電性材料又は半導電性材料と導電性材料との混合物を調製し、次いで、得られる混合物に第二の導電性材料を添加する工程；
ｂ）少なくとも１種の非導電性材料又は半導電性材料と少なくとも２種の導電性材料との混合物を調製する工程；及び
ｃ）導電性材料の混合物を調製し、次いで、この混合物を少なくとも１種の非導電性材料又は半導電性材料と混合物する工程
のうち少なくとも１つを含む、前記方法。
【請求項４８】
該材料の混合物を、機械的粉砕、ＨＥＢＭ、ボールミル、蒸気ジェットミル、好ましくはＨＥＢＭにより調製する、請求項４７記載の粒子の混合物を製造するための方法。
【請求項４９】
３００℃より低い温度で行う、請求項４７又は４８記載の粒子の混合物を製造するための方法。
【請求項５０】
２０〜４０℃の温度で行う、請求項４７又は４８記載の粒子の混合物を製造するための方法。
【請求項５１】
大気温度で行う、請求項４７又は４８記載の粒子の混合物を製造するための方法。
【請求項５２】
前記粒子のコアがＬｉ４Ｔｉ５Ｏ１２をベースとし、該コーティングが炭素の混合物をベースとし、該炭素の混合物を、Ｌｉ４Ｔｉ５Ｏ１２粒子の合成段階前に化学的な方法により調製する、請求項４７〜５１のいずれか１項に記載の粒子の混合物を製造するための方法。
【請求項５３】
少なくとも１種の導電性材料（炭素１）を、ポリマータイプ前駆体の熱処理により製造する、請求項４７〜５２のいずれか１項に記載の粒子の混合物を製造するための方法。
【請求項５４】
該ポリマーが、天然ポリマー及び変性天然ポリマー、並びにこれらの混合物からなる群から選択される、請求項５３記載の方法。
【請求項５５】
該ポリマーが、糖類、化学的に変性させた糖類、デンプン、化学的に変性させたデンプン、糊化デンプン、化学的に変性させたデンプン、化学的に変性させた糊化デンプン、セルロース、化学的に変性させたセルロース、及びこれらの混合物からなる群から選択される、請求項５４記載の方法。
【請求項５６】
該ポリマーがセルロースアセテートである、請求項５５記載の方法。
【請求項５７】
該炭素の混合物を、Ｌｉ４Ｔｉ５Ｏ１２の合成後に物理的混合により調製する、請求項５２〜５６のいずれか１項に記載の方法。
【請求項５８】
請求項１〜４５のいずれか１項に記載の粒子の混合物及び／又は請求項４７〜５７のいずれか１項に記載の方法により製造することができる粒子の混合物を含む、電気化学的発電機のカソード。
【請求項５９】
請求項１〜４５のいずれか１項に記載の粒子及び／又は請求項４７〜５７のいずれか１項に記載の方法により製造することができる粒子を含む、電気化学的発電機のカソード。
【請求項６０】
少なくとも１つの金属リチウムタイプのアノード及び少なくとも１つの請求項５８記載のカソードを含む、リチウムタイプの電気化学的発電機。
【請求項６１】
少なくとも１つの金属リチウムタイプのアノード及び少なくとも１つの請求項５８記載のカソードを含み、該アノードがＬｉ４Ｔｉ５Ｏ１２タイプ及び／又はＬｉ（４−α）ＺαＴｉ５Ｏ１２タイプ及び／又はＬｉ４ＺβＴｉ（５−β）Ｏ１２タイプである、リチウムタイプの電気化学的発電機。
【請求項６２】
充電可能なタイプ及び／又はリサイクル可能なタイプである、請求項６０又は６１に記載の電気化学的発電機。
【請求項６３】
リチウムイオンタイプであり、少なくとも１種の電解質、少なくとも１つの請求項５０記載のアノード、及び少なくとも１つのＬｉＦｅＰＯ４タイプ、ＬｉＣｏＯ２タイプ、ＬｉＭｎ２Ｏ４タイプ、及び／又はＬｉＮｉＯ２タイプのカソードを含む、請求項６０〜６２のいずれか１項に記載の電気化学的発電機。
【請求項６４】
リチウムイオンタイプであり、少なくとも１種の電解質、少なくとも１つの請求項５０記載のアノード（該アノードは、Ｌｉ４Ｔｉ５Ｏ１２タイプ及び／又はＬｉ（４−α）ＺαＴｉ５Ｏ１２タイプ及び／又はＬｉ４ＺβＴｉ（５−β）Ｏ１２タイプである）、及び少なくとも１つのＬｉＦｅＰＯ４タイプ、ＬｉＣｏＯ２タイプ、ＬｉＭｎ２Ｏ４タイプ、及び／又はＬｉＮｉＯ２タイプのカソードを含む、請求項６０〜６２のいずれか１項に記載の電気化学的発電機。
【請求項６５】
少なくとも１つのアノード及び／又は少なくとも１つのカソードが、固体アルミニウム又はＥｘｍｅｔ（エキスパンデッドメタル）タイプでつくられた集電体を備えている、請求項６０〜６４のいずれか１項に記載の電気化学的発電機。
【請求項６６】
電池の予備形成を必要としない、請求項６０〜６５のいずれか１項に記載の電気化学的発電機。
【請求項６７】
該電解質が、乾燥ポリマー、ゲル、液体又はセラミック質である、請求項６０〜６６のいずれか１項に記載の電気化学的発電機。
【請求項６８】
少なくとも１種の電解質、少なくとも１つの請求項５９記載のアノード、及び大きい比表面積を有する少なくとも１つの黒鉛タイプ又は炭素タイプのカソードを含み、スーパーキャパシタの予備的形成を必要としない、ハイブリッドタイプのスーパーキャパシタ。
【請求項６９】
少なくとも１種の電解質、少なくとも１つの請求項５９記載のアノード（Ｌｉ４Ｔｉ５Ｏ１２タイプ及び／又はＬｉ（４−α）ＺαＴｉ５Ｏ１２タイプ及び／又はＬｉ４ＺβＴｉ（５−β）Ｏ１２タイプである）、及び大きい比表面積を有する少なくとも１つの黒鉛タイプ又は炭素タイプのカソードを含み、スーパーキャパシタの予備的形成を必要としない、ハイブリッドタイプのスーパーキャパシタ。
【請求項７０】
少なくとも１つのアノード及び／又は少なくとも１つのカソードが、固体アルミニウム又はＥｘｍｅｔ（エキスパンデッドメタル）タイプでつくられた集電体を備えている、請求項６９記載のスーパーキャパシタ。
【請求項７１】
該電解質が、乾燥ポリマー、ゲル、液体又はセラミック質である、請求項７０記載のスーパーキャパシタ。
【請求項７２】
電極が他の炭素を添加することなく調製されていることを特徴とする、請求項６０〜７１のいずれか１項に記載の電気化学系。